(57)【要約】【課題】  紙幣の集積動作と結束動作を平行して行うことができるようにする。【解決手段】  紙幣を集積する集積部２６と、この集積部２６に集積された集積紙幣を搬送する搬送機構２８と、この搬送機構２８によって搬送されてくる集積紙幣を結束する結束部３０とを具備し、搬送機構２８は、一方向に無端走行する搬送ベルト４４と、この搬送ベルト４４上にその走行方向に亘って所定間隔を存して配設された複数の受け箱５１とを有し、搬送ベルト４４の走行により受け箱５１の一つを集積部２６に搬送して紙幣を所定枚数集積させたのち結束部３０に搬送して結束させ、この結束時には後続する空の受け箱５１を集積部２６に位置させて紙幣を集積させる。【選択図】      図３
2005343477.tif 000002
【特許請求の範囲】
【請求項１】
紙葉類を集積する集積手段と、
この集積手段に集積された集積紙葉類を搬送する搬送手段と、
この搬送手段によって搬送されてくる集積紙葉類を結束する結束手段とを具備し、
前記搬送手段は、
一方向に無端走行する搬送部材と、
この搬送部材上にその走行方向に亘って所定間隔を存して配設された複数の受け箱とを有し、
前記搬送部材の走行により前記受け箱の一つを前記集積手段に搬送して紙葉類を所定枚数集積させたのち前記結束手段に搬送して結束させ、この結束時には後続する空の受け箱を前記集積手段に位置させて紙葉類を集積させることを特徴とする紙葉類処理装置。
【請求項２】
前記結束手段で集積紙葉類が結束された受け箱は、結束された集積紙葉類が取出されることにより空の状態になって一方向に搬送されて前記集積手段に向かうことを特徴とする請求項１記載の紙葉類処理装置。
【請求項３】
前記搬送手段は搬送ベルトであることを特徴とする請求項１記載の紙葉類処理装置。
【請求項４】
前記複数の受け箱の間隔は前記集積手段と結束手段との間の間隔に略等しいことを特徴とする請求項１記載の紙葉類処理装置。
【発明の詳細な説明】
【技術分野】
【０００１】
本発明は、例えば、紙幣をその金種などに応じて区分排出し、或いは、紙幣を所定枚数ずつ結束する紙葉類処理装置に関する。
【背景技術】
【０００２】
この種の紙葉類処理装置は、載置部に紙幣を複数枚積層状態でセットし、このセットした紙幣を一枚ずつ取込んで搬送し、その金種、真偽、表裏の向きなどを鑑査部で判別し、この判別結果に基づいて紙幣を複数の排出部に区分して排出し、或いは、鑑査した紙幣を
集積部の受け箱に所定枚数集積したのち、この受け箱を結束部に搬送して集積紙幣を結束材で結束処理するものがある（例えば、特許文献１参照。）。
【特許文献１】特開平８−２３５４０６号公報
【発明の開示】
【発明が解決しようとする課題】
【０００３】
しかしながら、従来においては、上記した受け箱を集積部と結束部との間で往復移動させて集積紙幣を搬送していたため、受け箱が結束部から集積部に戻ってくるまでは、紙幣を集積できない。即ち、紙幣の集積動作と結束動作を平行して行うことができず、処理効率が低下するという問題があった。
【０００４】
また、処理効率を高めようとして受け箱の往復速度を高速化すると、集積紙幣が崩れてしまう虞があり、良好な結束が期待できなくなる。
【０００５】
さらに、受け箱を往復移動させると、機構的に複雑化し、制御も困難になるとともに、コスト高になるという問題がある。
【０００６】
本発明は上記事情に着目してなされたもので、その目的とするところは、紙葉類の集積動作と結束動作を平行して行うことができ、また、受け箱の移動速度を高速化することなく、簡単な構成で処理効率を良好に維持できる紙葉類処理装置を提供することにある。
【課題を解決するための手段】
【０００７】
上記課題を解決するため、請求項１記載の発明は、紙葉類を集積する集積手段と、この集積手段に集積された集積紙葉類を搬送する搬送手段と、この搬送手段によって搬送されてくる集積紙葉類を結束する結束手段とを具備し、前記搬送手段は、一方向に無端走行する搬送部材と、この搬送部材上にその走行方向に亘って所定間隔を存して配設された複数の受け箱とを有し、前記搬送部材の走行により前記受け箱の一つを前記集積手段に搬送して紙葉類を所定枚数集積させたのち前記結束手段に搬送して結束させ、この結束時には後続する空の受け箱を前記集積手段に位置させて紙葉類を集積させることを特徴とする。
【発明の効果】
【０００８】
本発明によれば、紙葉類の集積動作と結束動作を平行して行うことができ、処理効率を向上することができ、また、集積紙葉類を崩すことなく、安定して搬送することができ、さらに、構成的に簡略化してコストを低減することができる。
【発明を実施するための最良の形態】
【０００９】
以下、本発明を図面に示す実施の形態を参照して詳細に説明する。  
図１は本発明の一実施の形態である紙葉類処理装置としての紙幣整理機の外観を示すものである。
【００１０】
図１中１は装置本体で、この装置本体１の一側上部側には紙葉類としての紙幣Ｐを各金種混合状態で積層載置する載置部２が設けられている。この載置部２に載置された紙幣Ｐはその下部側のものから後述する取込ローラにより取込まれるようになっている。装置本体１の前部側上面部には、横方向に並列に第１乃至第３の排出部３ａ〜３ｃが配設されている。これら第１乃至第３の排出部３ａ〜３ｃには、金種別に紙幣が区分排出される。第１の排出部３ａには、例えば、千円紙幣、第２の排出部３ｂには一万円紙幣、第３の排出部３ｃにはリジェクト紙幣が排出される。
【００１１】
装置本体１の後部側上面部には、操作部４及び表示部５が設けられている。操作部４は、例えば、計数分類処理モード、或いは、結束処理モードを選択的に設定するようになっている。
【００１２】
図２は、紙幣整理機の内部構成を概略的に示すものである。
【００１３】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する識別部１２が設けられている。
【００１４】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１５】
一方、上記した第３の搬送経路１５の紙幣搬送方向下流側には表裏反転機構２２が接続されている。表裏反転機構２２で表裏が揃えられた紙幣は第４の搬送経路２４を介して集積手段としての集積部２６に搬送されて集積されるようになっている。集積部２６には紙幣Ｐが所定枚数、例えば１００枚集積される。
【００１６】
集積部２６の下方部には、集積紙幣を結束部３０へ搬送する後で詳述する搬送機構２８が設けられている。搬送機構２８は複数のローラ４３間に掛け渡されて走行する搬送ベルト４４を備え、この搬送ベルト４４の上面部に後述するように集積紙幣を載置して搬送するようになっている。
【００１７】
結束手段としての結束部３０は、搬送ベルト４４によって搬送されてくる集積紙幣を上下からクランプして受取るクランプ部材３１ａ，３１ｂ（図３に示す）と、このクランプ部材３１ａ，３１ｂ間に挾持される紙幣Ｐに結束テープ３６を巻付けるテープ巻付け機構３３と、結束テープ３６を所定の長さに切断するカッタ３４と、結束テープ３６の重合端部を熱接着するヒータ３５等を備えている。テープ巻付け機構３３は一対の巻付けアーム４６を回動自在に備えている。
【００１８】
結束テープ３６は供給リール３７から供給ルート３８に沿って供給され、供給ルート３８の中途部には結束テープ３６に銀行の支店名、処理の日付け、通番等を印字する印字部４０が設けられている。印字部４０は印字ヘッド４１とこの印字ヘッド４１に対向するプラテンローラ４２を備えている。
【００１９】
次に、上記した紙幣整理機の処理動作について説明する。
【００２０】
まず、装置本体１の載置部２に混合金種の紙幣Ｐを積層状態で載置し、操作部４によって、計数分類処理モード或いは、結束処理モードを設定する。
【００２１】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２２】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により第１の排出ローラ対２０ａに送られ、この第１の排出ローラ対２０ａの回転により第１の排出部３ａに排出される。識別された紙幣が例えば万円券である場合には、第２の振分ゲート１８の動作により第２の排出ローラ対２０ｂに送られ、この第２の排出ローラ対２０ｂの回転により第２の排出部３ｂに排出される。識別された紙幣が例えばリジェクト券である場合には、第３の排出ローラ対２０ｃに送られ、この第３の排出ローラ対２０ｃの回転により第３の排出部３ｃにリジェクトされる。
【００２３】
なお、リジェクト紙幣としては、例えば２枚重なり紙幣、連鎖紙幣、偽紙幣等の識別不能紙幣等がある。
【００２４】
また、操作部４によって、結束処理モードが設定されていた場合には、予め結束する紙幣の金種を指定しておくと、指定金種の紙幣は切替ゲート１３を介して第３の搬送経路１５へ送られ、いずれの排出部３ａ〜３ｃへも排出されずに表裏反転機構２２に送られる。この表裏反転機構２２に送られた紙幣は一方の面に揃えられたのち第４の搬送経路２４を介して集積部２６に送り込まれる。
【００２５】
このとき、指定された金種以外の紙幣は計数分類処理モード時と同様に第１乃至第３の排出部３ａ〜３ｃに排出される。
【００２６】
集積部２６に所定枚数（例えば１００枚）の紙幣が集積されると、集積部２６から搬送ベルト４４上に移載される。この移載された集積紙幣は搬送ベルト４４の走行により結束部３０に搬送されクランプ片により挾持される。また、このとき、供給リール３７から結束テープ３６が供給され、この結束テープ３６の表面には印字部４０により銀行の支店名、処理の日付け、通番等が印字される。この結束テープ３６は所定長さ送り出されると、カッタ３４により切断されたのち、一対の巻付アーム４６の回動により、集積紙幣の囲りに巻付けられる。この巻付け後、結束テープ３６の両端重合部にヒータ３５が押し付けられて加熱される。これにより結束テープ３６が接着されて結束され、この結束された紙幣把は収納部に放出されて収納されることになる。
【００２７】
図３は、上記した集積部２６に集積された集積紙幣を結束部３０へ搬送するための搬送機構２８を示すものである。
【００２８】
搬送機構２８は上記したように複数のローラ４３間に掛け渡されて走行する搬送部材としての搬送ベルト４４を備えている。この搬送ベルト４４の上面部にはその走行方向に亘った所定間隔を存して複数の受け箱５１が配設され、この受け箱５１によって集積部２６に集積される紙幣が受けられるようになっている。
【００２９】
搬送ベルト４４は駆動モータによって矢印で示す一方向（反時計方向）に回転するように無端走行され、これにより受け箱５１が集積部２６から結束部３０へ順次間歇的に搬送されるようになっている。
【００３０】
図４は、集積部２６に位置する受け箱５１を示す正面図で、図５はその側面図である。
【００３１】
受け箱５１は搬送ベルト４４の走行方向に所定間隔を存して離間対向する一対の保持体５２，５３を有している。この一対の保持体５２，５３間に紙幣が集積され、その両側部が保持されるようになっている。
【００３２】
一対の保持体５２，５３は図５に示すように３本の分割片５２ａ〜５２ｃ，５３ａ〜５３ｃを有し、これら３本の分割片５２ａ〜５２ｃ，５３ａ〜５３ｃは、搬送ベルト４４の走行方向に対し直交する方向に所定間隔を存して配設されている。これら３本の分割片５２ａ〜５２ｃ，５３ａ〜５３ｃは、取付部材５４ａ〜５４ｃ，５５ａ〜５５ｃによって搬送ベルト４４の上面部に固定されている。
【００３３】
また、分割片間には、搬送ベルト４４の走行方向に沿ってガイド板５７ａ〜５７ｄが配設され、これらガイド板５７ａ〜５７ｄにより集積紙幣の搬送がガイドされるようになっている。複数の受け箱５１の一つが結束部３０に位置するときには、その移動方向下流側に位置する受け箱５１が集積部２６に位置するような間隔で配設されている。
【００３４】
しかして、集積部２６に搬送されくる紙幣を受け取る場合には、搬送ベルト４４の走行により受け箱５１が図６に示すように集積部２６に移動され、紙幣を集積させる。受け箱５１内に紙幣が１００枚集積されると、搬送ベルト４４が走行されて図７に示すように受け箱５１が結束部３０に搬送される。この結束部３０に搬送された集積紙幣は上記したと同様にして結束される。また、この結束時には、後続の空の受け箱５１が集積部２６に位置されて紙幣を集積させる。
【００３５】
結束部３０で結束された紙幣束は受け箱５１から送り出されて図示しない収納部に収納される。この送り出しにより空になった受け箱５１は搬送ベルト４４の走行により、再び、集積部２６に向かって搬送されるとともに、集積部２６で紙幣を集積した受け箱５１は結束部３０に集積紙幣が結束される。以下、順次、同様にして集積動作、結束動作が繰り返されて紙幣処理が継続される。
【００３６】
上記したように、この実施の形態によれば、集積部２６の受け箱５１で集積した集積紙幣を結束部３０に搬送して結束する際には、後続の空の受け箱５１を集積部２６に位置させて紙幣を集積するため、紙幣の集積動作と結束動作を同時並行的に行うことができ、処理効率を向上できる。
【００３７】
また、無端走行する搬送ベルト４４上にその走行方向に亘って所定間隔を存して複数の受け箱５１を配設するため、受け箱５１を一方向に移動させることにより集積紙幣を集積部２６から結束部３０へ搬送できるとともに、空の受け箱５１を集積部２６へ搬送することができる。
【００３８】
従って、従来のように受け箱を往復移動させて搬送する場合と比較して構成的に簡略化できるとともに、受け箱５１の移動速度を略１／２の速度に減速でき、集積紙幣の崩れを防止することができる。
【００３９】
なお、本発明は、上記一実施の形態に限られることなく、その要旨の範囲内で種々変形実施可能なことは勿論である。
【図面の簡単な説明】
【００４０】
【図１】本発明の一実施の形態である紙幣整理機を示す外観斜視図。
【図２】同紙幣整理機の内部構成を示す図。
【図３】同紙幣整理機の搬送機構を示す構成図。
【図４】同搬送機構の受け箱を示す正面図。
【図５】同搬送機構の受け箱を示す側面図。
【図６】同搬送機構の受け箱が集積部で紙幣を集積した状態を示す図。
【図７】同搬送機構により集積紙幣が結束部に搬送された状態を示す図。
【符号の説明】
【００４１】
Ｐ…紙幣（紙葉類）、２６…集積部（集積手段）、２８…搬送機構（搬送手段）、３０…結束部（結束手段）、４４…搬送ベルト（搬送部材）、５１…受け箱。
【図１】
2005343477.tif 000003
【図２】
2005343477.tif 000004
【図３】
2005343477.tif 000005
【図４】
2005343477.tif 000006
【図５】
2005343477.tif 000007
【図６】
2005343477.tif 000008
【図７】
2005343477.tif 000009